(57)【要約】【課題】カードの第３者の不正利用を低コストにて防止することができ、表示画面上何処の領域においてもカードが有する情報を読み取ることができ、さらには容易に操作を行うことができる電子機器、及び該電子機器を用いた読み取り方法を提供する。【解決手段】読み取り素子が全面に配置された表示画面２ｈを有する表示部２と、表示画面２ｈの任意の領域に、カード表面が接触される第１の領域３を設定し、該第１の領域３に接触されたカード表面の情報を読み取るとともに、表示画面２ｈの任意の領域に、第２の領域４を設定し、該第２の領域４にカードの認証に関する表示を行うよう制御する制御部８と、を具備することを特徴とする。【選択図】図２
2006184973.tif 000002
【特許請求の範囲】
【請求項１】
読み取り素子が全面に配置された表示画面を有する表示部と、
上記表示画面の任意の領域に、カード表面が接触される第１の領域を設定し、該第１の領域に接触された上記カード表面の情報を読み取るとともに、上記表示画面の任意の領域に、第２の領域を設定し、該第２の領域に上記カードの認証に関する表示を行うよう制御する制御部と、
を具備することを特徴とする電子機器。
【請求項２】
上記制御部は、上記表示画面の任意の領域に、接触された上記カード使用者の生体特徴の読み取りを行う第３の領域を設定するとともに、該第３の領域に接触された上記カード使用者の生体特徴の読み取りを行うよう制御することを特徴とする請求項１に記載の電子機器。
【請求項３】
上記制御部は、上記第１の領域において読み取った上記カード表面の情報をカード会社に送信してカードの確認を行うとともに、上記第３の領域において読み取った上記カード使用者の生体特徴をカード会社に送信してカード使用者の確認を行うことを特徴とする請求項２に記載の電子機器。
【請求項４】
表示部の読み取り素子が全面に配置された表示画面の任意の領域に第１の領域を設定し、該第１の領域に接触されたカード表面の情報を読み取るステップと、
上記表示画面の任意の領域に第２の領域を設定し、該第２の領域に上記カードの認証に関する表示を行うステップと、
を少なくとも具備することを特徴とする電子機器を用いた読み取り方法。
【請求項５】
上記表示画面の任意の領域に第３の領域を設定し、該第３の領域に接触された上記カード使用者の生体特徴を読み取るステップをさらに有していることを特徴とする請求項４に記載の電子機器を用いた読み取り方法。
【請求項６】
上記第１の領域において読み取った上記カード表面の情報をカード会社に送信してカードの確認を行うとともに、上記第３の領域において読み取った上記カード使用者の生体特徴をカード会社に送信してカード使用者の確認を行うステップをさらに有していることを特徴とする請求項５に記載の電子機器を用いた読み取り方法。
【発明の詳細な説明】
【技術分野】
【０００１】
本発明は、読み取り素子が全面に配置された表示画面を有し、表示画面においてカード表面の情報が読み取れる電子機器、及び電子機器を用いた読み取り方法に関する。
【背景技術】
【０００２】
周知のように、インターネットショッピング等の電子商取引を行うに際し、クレジットカード（以下、単にカードと称す）のカード番号、有効期限及び暗証番号等を用いて顧客が本人であるかを確認し、電子商取引の決済を行うことが一般に行われている。
【０００３】
しかしながら、カードのカード番号及び有効期限は、カード会社が発行するカード明細書に記載してある事項であることから、第３者に漏洩する場合があるため、カードのカード番号及び有効期限を入手した第３者が、何らかの手段によりカードの暗証番号を入手してしまうと、カード本体がなくとも、電子商取引システムを通じて不正取引が行えてしまうといった問題があった。
【０００４】
このような問題に鑑み、例えば特許文献１では、電子商取引を行う電子機器とカードとの双方に、無線通信を行う送受信機を配設し、決済を行う際は、カードを電子機器の表示画面に近接させてカードと電子機器との間で無線通信を行って、カードが有する情報を電子機器に伝送し、さらに暗唱番号を入力することで、カードの認証を行う技術が提案されている。
【０００５】
このような方法によれば、カード本体が無いと、カードのカード番号、有効期限及び暗唱番号を入力するのみでは、電子商取引の決済を行うことが出来ないため、カードの第３者の不正利用を有効に防止することができる。
【特許文献１】特開２００４−１３３００９号公報
【発明の開示】
【発明が解決しようとする課題】
【０００６】
しかしながら、上述した特許文献１に開示された電子機器では、電子商取引を行う電子機器とカードとの双方に、無線通信を行う送受信機を配設すると、カード認証システム構築の為のコストが多大に増大しまうといった問題があった。
【０００７】
また、自宅等で電子機器を用いてカードが有する情報を読み取るには、使用者は、送受信機の搭載された電子機器を購入しなければならないが、送受信機は、他の用途には用いることができない場合があるため、使用者にとって、電子機器を購入することは、コストが高い割には、メリットが少ない。
【０００８】
また、特許文献１に開示された電子機器では、該電子機器の送受信機は、表示画面の裏面の規定の位置に配置されるため、カードと電子機器との間において無線通信を行うには、カードを常時、表示画面の規定の表示位置に近接させなければならなく、使い勝手が悪い。
【０００９】
本発明の目的は、上記問題に鑑みてなされたものであり、カードの第３者の不正利用を低コストにて防止することができ、表示画面上何処の領域においてもカードが有する情報を読み取ることができ、さらには容易に操作を行うことができる電子機器、及び該電子機器を用いた読み取り方法を提供するにある。
【課題を解決するための手段】
【００１０】
上記目的を達成するために本発明による電子機器は、読み取り素子が全面に配置された表示画面を有する表示部と、上記表示画面の任意の領域に、カード表面が接触される第１の領域を設定し、該第１の領域に接触された上記カード表面の情報を読み取るとともに、上記表示画面の任意の領域に、第２の領域を設定し、該第２の領域に上記カードの認証に関する表示を行うよう制御する制御部と、を具備することを特徴とする。
【００１１】
また、上記目的を達成するために本発明による電子機器を用いた読み取り方法は、表示部の読み取り素子が全面に配置された表示画面の任意の領域に第１の領域を設定し、該第１の領域に接触されたカード表面の情報を読み取るステップと、上記表示画面の任意の領域に第２の領域を設定し、該第２の領域に上記カードの認証に関する表示を行うステップと、を少なくとも具備することを特徴とする。
【発明の効果】
【００１２】
本発明の電子機器、及び該電子機器を用いた読み取り方法によれば、カードの第３者の不正利用を低コストにて防止することができ、表示画面上何処の領域においてもカードが有する情報を読み取ることができ、さらには容易に操作を行うことができる。
【発明を実施するための最良の形態】
【００１３】
以下、図面を参照して本発明の実施の形態を説明する。  
図１は、本発明の一実施の形態を示す電子機器を有して構成された電子商取引システムの概略を示す図、図２は、図１の電子機器の構成の概略を示す正面図、図３は、図２の電子機器によって表面の情報が読み取られるクレジットカードの正面図である。
【００１４】
図１に示すように、電子商取引システム１００は、ユーザが電子商取引を行うに際し、使用、操作するユーザＰＣ等の電子機器１と、ユーザと電子商取引を行う店舗のサーバ１０と、ユーザと契約関係にあるクレジットカード（以下、単にカードと称す）発行会社（以下、カード会社と称す）のサーバ２０とにより構成されている。
【００１５】
また、電子機器１と、店舗サーバ１０と、カード会社のサーバ２０とは、インターネット等の通信回線を介して相互に接続されている。尚、電子機器１は、ユーザＰＣに限定されず、店舗等に設置された端末装置でもよい。また、電子機器１と、店舗サーバ１０と、カード会社のサーバ２０とが接続される通信回線は、インターネットに限定されず、専用の通信回線によって接続されていてもよい。
【００１６】
図２に示すように、電子機器１は、表示画面２ｈに図示しない読み取り素子が全面にマトリクス状に配置され、表示画面２ｈに接触されたものを表示画面２ｈ上であれば、どこの位置でも読み取る（以下、スキャンと称す）ことができる、所謂インプットディスプレイである表示部２と、装置本体７とにより主要部が構成されている。
【００１７】
表示部２の表示画面２ｈには、接触されたカード３０（図３参照）の表面３０ｈの情報をスキャンする領域である第１の領域３と、電子機器１を用いたカード３０の認証に関する操作手順の表示が行われる第２の領域４とが、後述する装置本体７の制御部８により、任意の領域に設定される。尚、第１の領域３と、第２の領域４とは、表示部２の同一表示画面に設定される。
【００１８】
さらに、表示部２の表示画面２ｈの任意の領域に、接触されたカード３０の使用者の指紋、静脈等の生体特徴のスキャンを行う第３の領域５が、後述する装置本体７の制御部８により設定されてもよい。この場合も、第３の領域５は、第１の領域３及び第２の領域４と、表示部２の同一表示画面に設定される。
【００１９】
また、表示部２の表示画面２ｈの任意の位置の下部には、カード３０の使用者の静脈認証を行う際、カード３０の使用者の手に赤外線を照射する赤外線発光手段２ｓが配置されている。
【００２０】
図３に示すように、第１の領域３に接触されるカード３０の表面３０ｈには、カード名義人やカード所有者等のカード情報が入力されたマーク３１と、一般的なカードが有する情報以外の独自のカード情報、例えばマーク３１の暗号を解読するための暗号キー等が入力されたマーク３２とが例えば印刷により形成されている。
【００２１】
尚、マーク３１は、例えば２次元のマークによってカードに入力された情報が視認できないよう、暗号化されて構成されている。また、マーク３１は、２次元のマークに限らず、１次元のマークであってもよいし、カードに入力された情報が視認できないものであれば、どのようなものであっても構わない。さらに、マーク３２は、例えば記号等の一定の赤外線発光パターンにより構成されている。
【００２２】
装置本体７の内部に、表示部２の表示画面２ｈの任意の領域に第１の領域３を設定し、該第１の領域３に接触されたカード３０の表面、具体的には、マーク３１，３２の情報を読み取ると共に、表示部２の表示画面２ｈの任意の領域に第２の領域４を設定し、該第２の領域４に、カード３０の認証に関する操作手順の表示を行うよう制御する制御部８が配設されている。
【００２３】
制御部８は、第１の領域からスキャンしたカード３０のマーク３１の暗号を、マーク３２からスキャンした暗号キーを用いて解読する解読手段８ａを備えている。さらに、制御部８は、第１の領域からスキャンしたカード３０のマーク３１及びマーク３２内からスキャンしたカード情報を、カード会社のサーバ２０に送信し、表面３０ｈからスキャンしたカード３０が、カード会社が使用者に発行した正しいカードであることの確認を行う確認手段８ｂも備えている。
【００２４】
尚、確認手段８ｂは、第３の領域からカード３０の使用者の指紋、静脈等の生体特徴をスキャンした場合は、該スキャンした生体特徴もカード情報とともにカード会社のサーバ２０に送信し、カード使用者が、カード会社と契約関係にある正しい使用者であることの確認を行ってもよい。
【００２５】
次に、このように構成された電子機器１を用いてカード３０の表面３０ｈをスキャンする方法を説明する。図４は、本発明の一実施の形態を示す電子機器を用いたスキャン方法を説明するフローチャートである。
【００２６】
図４に示すように、カード使用者が店舗と電子商取引を行う際は、先ず、ステップＳ１において、カード会社のサーバ２０の指示により、制御部８は、表示部２の表示画面２ｈの任意の領域に第２の領域４を設定し、該第２の領域４に、カード３０の認証に関する表示、例えば“第１の領域にカード３０の表面３０ｈを当てて下さい”等の表示を行う。
【００２７】
続くステップＳ２において、制御部８は、表示部２の表示画面２ｈの任意の領域に第１の領域３を設定する。その後、設定した第１の領域３にカード３０の表面３０ｈが使用者によって接触される。
【００２８】
第１の領域３にカード３０の表面３０ｈが接触されると、ステップＳ３において、制御部８は、第１の領域３に接触されたカード３０の表面３０ｈ、具体的には、例えばカード３０のマーク３１をスキャンする。尚、この際、カード３０の表面３０ｈに形成された赤外線発光パターンによるマーク３２もスキャンする。
【００２９】
続くステップＳ４では、制御部８は、スキャンしたマーク３１から、該マーク３１内に暗号化されている、カード名義人やカード所有者等の情報を解読するか否かを判定する。カード情報を解読する場合は、ステップＳ５に移行し、制御部８の解読手段８ａにおいて、マーク３２からスキャンした暗号キーを基に、カード名義人やカード所有者等のカード情報を解読した後、ステップＳ６に移行する。ステップＳ４において、カード情報を解読しない場合は、ステップＳ６にジャンプする。
【００３０】
ステップＳ６では、制御部８は、カード３０のマーク３１からスキャンしたカード情報を、確認手段８ｂを用いてカード会社のサーバ２０に送信することにより、カード３０が、カード会社が使用者に発行した正しいカードであることの確認を行う。
【００３１】
尚、この際、カード３０のマーク３１からスキャンしたカード情報を、ステップＳ５において解読した場合は、解読された情報がカード会社のサーバ２０に送信され、解読していない場合は、解読されていないスキャンしたマーク３１の２次元の情報のみが、カード会社のサーバ２０に送信される。
【００３２】
さらに、この際、電子機器１から、店舗サーバ１０に、電子商取引の決済をカードで行う旨が送信され、該送信を受けた店舗サーバ１０は、カード会社のサーバ２０に、カード会社に対する決済をカードで行う旨を送信する。
【００３３】
電子機器１からカード情報が送信されたカード会社のサーバ２０は、カード情報が解読されていない場合は、カード情報の解読を行い、送信されたカード情報から、カード３０が、カード会社が使用者に発行した正しいカードであるか否かの認証を照合により行って、認証結果を電子機器１に送信する。尚、この際、店舗サーバ１０にもカード３０の認証結果を送信する。
【００３４】
最後に、制御部８の確認手段８ｂは、カード会社のサーバ２０からの認証結果を受けて、カード使用者に、カード３０を用いた電子商取引の操作を許可し、その後リターンする。
【００３５】
図５は、カードの確認に加え、カード使用者がカード会社と契約関係にある正しい使用者であることの確認を行う場合の電子機器１を用いたスキャン方法を示すフローチャートである。
【００３６】
尚、図５のステップＳ１〜ステップＳ５は、上述した図４に示す電子機器１を用いたスキャン方法と同一であるので、その説明は省略する。ステップＳ３において、カード３０の情報をスキャンした後、またはステップＳ５において、該スキャンしたカード３０の情報を解読した後、ステップＳ１０に移行する。
【００３７】
ステップＳ１０では、制御部８は、表示部２の表示画面２ｈの任意の領域に、第３の領域５を設定する。設定された第３の領域に、例えばカード使用者の指が接触されると、制御部８は、第３の領域５に接触された使用者の生体特徴である指の指紋をスキャンする。尚、この際、赤外線発光手段２ｓを用いて、使用者の静脈をスキャンしても良い。その後、ステップＳ１１に移行する。
【００３８】
ステップＳ１１では、制御部８は、カード３０のマーク３１からスキャンしたカード情報及び使用者の指からスキャンした指紋を、確認手段８ｂを用いてカード会社のサーバ２０に送信することにより、カード３０が、カード会社が使用者に発行した正しいカードであることの確認と、カード使用者がカード会社と契約関係にある正しい使用者であることの確認を行う。
【００３９】
尚、この際も、カード３０のマーク３１からスキャンしたカード情報が解読されている場合は、解読された情報が、解読されていない場合は、解読されていないスキャンしたマーク３１の２次元の情報のみが、カード会社のサーバ２０に送信される。
【００４０】
さらに、この際、電子機器１から、店舗サーバ１０に、電子商取引の決済をカードで行う旨が送信され、該送信を受けた店舗サーバ１０は、カード会社のサーバに、カード会社に対する決済をカードで行う旨を送信する。
【００４１】
電子機器１からカード情報が送信されたカード会社のサーバ２０は、カード情報が解読されていない場合は、カード情報の解読を行い、送信されたカード情報から、カード３０が、カード会社が使用者に発行した正しいカードであることの認証、及びカード使用者が、カード会社と契約関係にある正しい使用者であることの認証を照合により行って、認証結果を電子機器１に送信する。尚、この際、店舗サーバ１０にもカード３０の認証結果を送信する。
【００４２】
最後に、制御部８の確認手段８ｂは、カード会社のサーバ２０からの認証結果を受けて、カード使用者に、カード３０を用いた電子商取引の操作を許可し、その後リターンする。
【００４３】
このように、本発明の一実施の形態を示す電子機器１及び該電子機器１を用いた読み取り方法においては、電子機器１の表示部２の表示画面２ｈ上に、カード３０の表面３０ｈの情報をスキャンする領域と、カード３０の認証に関する表示を行う領域とを、制御部８により設定すると示した。即ち、制御部８によりカード３０の表面３０ｈの情報を読み取る第１の領域３と、カード３０の認証に関する表示を行う第２の領域４とを、同一画面２ｈ上に設定した。
【００４４】
このことによれば、カード３０の情報を読み取る専用機器を他に用意する必要がなくなり、また、使用者は、第２の領域４に表示された、カード３０の認証に必要な手順を読みながら、カード３０を第１の領域に当接させることができるため、低コストにて容易に操作することのできる、電子商取引システム利用者へのインタフェースを備える電子機器１を、単独の機器で提供することができる。
【００４５】
また、視認することができない２次元のマーク３１をスキャンして、カード情報をカード会社のサーバ２０に送信し、カード３０が、カード会社が発行した正しいカードであることを確認することにより、電子機器１にて、第３者が偽造したカードを使用することを防止することができる。
【００４６】
さらに、特定のパターンを有する赤外線発光パターンから構成されたマーク３２を、スキャンすることにより、２次元のマーク３１の情報が第３者に読み取られてしまった場合でも、電子機器１にて、第３者が偽造したカードを使用することを防止することができる。即ちセキュリティを高めた電子機器１を提供することができる。
【００４７】
また、制御部８により、使用者の指紋、静脈等の生体特徴をスキャンする領域を、カード３０の情報を読み取る第１の領域３及びカード３０の認証に関する表示を行う第２の領域４と、同一画面上に設けたことにより、使用者の生体特徴を読み取る専用機器を他に用意する必要がなくなる。
【００４８】
さらに、使用者は、第２の領域４に表示された、カード３０の認証に必要な手順を読みながら、指等を第３の領域５に当接させることができるため、低コストにて容易に操作することのできる、電子商取引システム利用者へのインタフェースを備える電子機器１を、単独の機器で提供することができる。
【００４９】
また、カード３０の確認のみならず、カード使用者の生体特徴をスキャンすることにより、カード３０の第３者の不正利用を確実に防止することができる。
【００５０】
さらに、カード３０の情報を読み取る第１の領域３と、カード３０の認証に関する表示を行う第２の領域４と、使用者の指紋、静脈等の生体特徴をスキャンする第３の領域５とを、制御部８は、表示部２の表示画面２ｈ上の任意の領域に設定することができるため、即ち、表示画面２ｈ上においては、何処においても、カード３０の表面３０ｈの情報及びカード使用者の生体特徴をスキャンすることができるため、使用者にとって、使い勝手のよいインタフェースを備える電子機器１を提供することができる。
【００５１】
以下、変形例を示す。本実施の形態においては、電子機器１は、表示部２において、カード３０の情報及びカード使用者の生体特徴をスキャンした後、該スキャンした情報をカード会社のサーバ２０に送信して、該カード会社のサーバ２０にて、カード３０及びカード使用者の認証を行うと示した。
【００５２】
これに限らず、電子機器１に、カード３０及びカード使用者の認証を行う手段を設け、認証結果のみを、カード会社のサーバ２０に送信するようにしてもよい。このことによれば、カード情報及びカード使用者の生体特徴が、カード会社のサーバ２０に送信している途中で、インターネット上において漏洩してしまうことがないため、よりセキュリティを高めた電子商取引に用いる電子機器１を提供することができる。
【００５３】
また、赤外線発光手段２ｓは、カード使用者の静脈をスキャンするために用いると示した。これに限らず、赤外線をカード３０に照射することにより、カード３０の材質を判定して、カードの偽造を防止することに用いても良い。
【００５４】
具体的には、図６は、あるカード会社において、顧客によりカードの材質を変更した例を示す図表である。同図に示すように、例えば、カード会社Ｘにおいて、顧客“甲”のカードの材質をＢに、顧客“乙”のカードの材質をＡに、顧客“丙”のカードの材質をＣに、顧客“丁”のカードの材質をＡに、それぞれ事前に設定する。
【００５５】
このことによれば、例えば第３者が、顧客“甲”のカードを偽造して使用した際、赤外線発光手段２ｓからカード３０に赤外線を照射した後、カードの材質がＢ以外で形成されていれば、電子機器１は、該使用されたカードが偽造したカードであることを判定することができるため、カードの偽造を防止することができ、また電子機器１の表示部２によるカードの認識及びカード使用者の認識に加え、よりセキュリティを高めることができる。
【図面の簡単な説明】
【００５６】
【図１】本発明の一実施の形態を示す電子機器を有して構成された電子商取引システムの概略を示す図。
【図２】図１の電子機器の構成の概略を示す正面図。
【図３】図２の電子機器によって表面の情報が読み取られるクレジットカードの正面図。
【図４】本発明の一実施の形態を示す電子機器を用いたスキャン方法を説明するフローチャート。
【図５】カードの確認に加え、カード使用者が正しい使用者であることの確認を行う場合の電子機器を用いたスキャン方法を示すフローチャート。
【図６】あるカード会社において、顧客によりカードの材質を変更した例を示す図表。
【符号の説明】
【００５７】
１…電子機器
２…表示部
２ｈ…表示画面
３…第１の領域
４…第２の領域
５…第３の領域
８…制御部
８ａ…解読手段
８ｂ…確認手段
３０…カード
３０ｈ…カード表面
代理人    弁理士    伊藤  進
【図１】
2006184973.tif 000003
【図２】
2006184973.tif 000004
【図３】
2006184973.tif 000005
【図４】
2006184973.tif 000006
【図５】
2006184973.tif 000007
【図６】
2006184973.tif 000008